【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
グローブをアロエ・ベラ溶解液に浸し、前記溶解液から取り出し、前記グローブの表面に脱水されたアロエ・ベラの層を形づくるために前記グローブを実質的に熱することによってアロエ・ベラが柔軟な層に結合される
ａ）手を受け入れる空洞を形成する柔軟な材料の単一の層、
及び
ｂ）使い捨て検査（examination）グローブ着用の際に手を覆うアロエ・ベラであって、前記柔軟な材料の層からなる内表面上の脱水された量のアロエ・ベラ、
からなる使い捨て検査（examination）グローブ。
【請求項２】
前記柔軟な材料の層は天然ゴムラテックスからなる請求の範囲１に記載の使い捨て検査グローブ。
【請求項３】
前記柔軟な材料の層はアクリロニトリルからなる請求の範囲１に記載の使い捨て検査グローブ。
【請求項４】
前記アロエ・ベラは前記柔軟な材料に脱水作用によって結合される請求の範囲１に記載の使い捨て検査グローブ。
【請求項５】
前記アロエ・ベラは前記柔軟な材料に均等に塗布される請求の範囲５に記載の使い捨て検査グローブ。
【請求項６】
前記アロエ・ベラの層の厚さは約０．０１ｍｍである請求の範囲１に記載の使い捨て検査グローブ。
【請求項７】
前記アロエ・ベラの層の厚さは前記柔軟な層の厚さの約１／１６である請求の範囲１に記載の使い捨て検査グローブ。
【請求項８】
ａ）アロエ・ベラを溶かすために所定量の水とアロエ・ベラを混合し、溶解液を作る工程、
ｂ）前記グローブを手に着用しているときに内部の手の方を向く表面である、前記グローブの内表面を外に出すために前記グローブの内面を外に出すように準備する工程、
ｃ）前記内表面が前記溶解液と接触するように前記グローブを前記溶解液に浸す工程、
ｄ）前記溶解液の一部が前記グローブ上に存在している状態で、前記グローブを溶解液から取り出す工程、
ｅ）前記溶解液の一部の中の水分を蒸発させるために前記溶解液の一部とともにグローブを加熱し、実質的に均一な脱水されたアロエ・ベラの塗布層をグローブ表面に形成する工程、
ｆ）室温にまでグローブを冷却する工程、
からなる、手を保護し滑らかにする使い捨てグローブの製造方法。
【請求項９】
パウダーとたんぱく質を除去し、バクテリアとウイルスを殺し、請求の範囲８に記載の製造方法の前に準備として、さらに
ａ）塩素含有環境中に前記グローブを適用することによって前記グローブを予備処理する工程、
ｂ）前記グローブを加熱により乾燥させる工程、
からなる請求の範囲８に記載されたグローブの前記製造方法。
【請求項１０】
前記溶解液の濃度が約１５−３０％である請求の範囲８に記載の方法。
【請求項１１】
加熱工程がさらに
ａ）前記グローブを導入する前に乾燥機械を約４５℃に熱する工程、
ｂ）最高温度を約６５℃に設定する工程、
ｃ）前記機械の中の前記グローブを回転させるために、回転機構を開始する工程、
ｄ）加熱と回転を約３５から４５分間続ける工程、
を含む請求の範囲８に記載の前記方法。
【請求項１２】
請求の範囲８に記載の方法によって製造される使い捨てグローブ。
【請求項１３】
使い捨て検査(examination)グローブと
アロエ・ベラと内側表面の親和力（affiliation force）は脱水(dehydration)  によって得られ、使い捨て検査グローブを手に着用している間中その被覆層(coat)が手と接触する使い捨て検査グローブの内側表面上に処理された１００％アロエ・ベラの被覆層(coat)と
を含む物品。
【請求項１４】
熱を与えることにより脱水処理される請求項１３に記載の物品。
【請求項１５】
１００％アロエ・ベラの被覆層が内側表面に均一に塗布される請求項１３に記載の物品。
【請求項１６】
ａ）手を受け入れる空洞を形成する柔軟な材料の単一の層と
ｂ）使い捨て検査グローブを着用している間中アロエ・ベラが手と接触している、
柔軟な材料の層の内表面上への脱水されたアロエ・ベラの被覆層
を含む使い捨て検査グローブ。
【請求項１７】
アロエ・ベラの被覆層は１００％アロエ・ベラのゲルと水を含む溶液から脱水された、脱水されたアロエ・ベラからなる、請求項１６に記載の使い捨て検査グローブ。
【請求項１８】
アロエ・ベラの被覆層と柔軟な材料の間の親和力（affiliation force）は脱水によるものである請求項１６に記載の使い捨て検査グローブ。
【請求項１９】
柔軟な材料の層は天然ゴムラテックスからなる請求項１６に記載の使い捨て検査グローブ。
【請求項２０】
柔軟な材料の層はアクリロニトリルからなる請求項１６に記載の使い捨て検査グローブ。
【請求項２１】
アロエ・ベラは柔軟な材料の上に均一に塗布される請求項１６に記載の使い捨て検査グローブ。
【請求項２２】
アロエ・ベラの被覆層の厚みは約０．０１ｍｍである請求項１６に記載の使い捨て検査グローブ。
【請求項２３】
アロエ・ベラの被覆層の厚さは柔軟な材料の層の厚みの約１／１６である請求項１６に記載の使い捨て検査グローブ。
【請求項２４】
ａ）手を受け入れる空洞を形成する柔軟な材料の単一の層と、
ｂ）アロエ・ベラが脱水によって柔軟な材料の層の内面上に付着され、使い捨て検査グローブの着用中にアロエ・ベラが手と接触する、脱水されたアロエ・ベラの所定量を含む使い捨て検査グローブ。
【請求項２５】
アロエ・ベラは柔軟な材料に均一に塗布される請求項２４に記載の使い捨て検査グローブ。
【請求項２６】
加熱によって脱水される請求項２４に記載の使い捨て検査グローブ。
【請求項２７】
ａ）天然ゴムラテックスからなる使い捨てグローブと、
ｂ）グローブ製品を着用中アロエ・ベラが直接手に接触し、アロエ・ベラの脱水によって得られる作用によって１００％のアロエ・ベラの量がグローブの表面に残るアロエ・ベラの所定量
を含む、そのグローブを着用中、手を保護し、なめらかにするグローブ製品。
【請求項２８】
アロエ・ベラの量は平らに均一にグローブの表面に塗布される請求項２７に記載のグローブ製品。
【請求項２９】
アロエ・ベラは約０．０１ｍｍの厚さの層を形成する請求項２７に記載のグローブ製品。
【請求項３０】
アロエ・ベラは天然ゴムラテックスの厚みの約１／１６の厚さの層を形成する請求項２７に記載のグローブ製品。
【請求項３１】
脱水は加熱によって行われる請求項２７に記載のグローブ製品。
【請求項３２】
（ａ）天然ゴムラテックスからなる使い捨てグローブ
（ｂ）そのグローブ製品の着用中、アロエ・ベラが直接手に接触する、アロエ・ベラと検出できないオイルベースの物質(no detectable oil-based substance)からなり、
脱水を通してグローブの表面に付着される被覆層、
を含むグローブの着用中に手を保護しなめらかにする(soothing)ためのグローブ製品。
【請求項３３】
手を保護する物品であり、
孔のない層からなるグローブと、
脱水されたアロエ・ベラと表面の間の親和力（affiliation force）は脱水を通して得られ、その物品を手に着用している間、脱水されたアロエ・ベラが手に接触している、グローブの表面上の脱水されたアロエ・ベラの所定量を含む物品。
【請求項３４】
グローブには吸水性の材料の層がない請求項３３に記載の物品。
【請求項３５】
脱水はアロエ・ベラとグローブの加熱を含む請求項３３に記載の物品。
【請求項３６】
グローブは樹脂製の材料あるいは重合材料からなるグローブを含む請求項３３に記載の物品。
【請求項３７】
グローブは天然ゴムラテックスからなるグローブを含む請求項３３に記載の物品。
【請求項３８】
グローブは使い捨て検査グローブである請求項３３に記載の物品。
【請求項３９】
手を保護する物品であって、
孔のあいた層が無いグローブと、
アロエ・ベラは脱水された状態であり、アロエ・ベラと表面の間の親和力(affiliation force)は脱水を通して得られ、その物品の着用中アロエ・ベラは手に直接接触する、アロエ・ベラとグローブの表面に検出できないオイルベースの物質(no detectable oil-based substances)を含む製造（preparation）
を含む物品。
【請求項４０】
グローブは使い捨て検査グローブである請求項３９に記載の物品。
【請求項４１】
加熱によって脱水される請求項３９に記載の物品。
【請求項４２】
手を保護する物品であって、
前記物品は吸水性の材料の層が無いグローブと、
前記物品の着用中、アロエ・ベラは直接手に接触する、脱水によるグローブの表面上への１００％アロエ・ベラの被覆層を含む物品。
【請求項４３】
ビニールからなるグローブを含む請求項４２に記載の物品。
【請求項４４】
ポリビニールクロライドからなるグローブを含む請求項４２に記載の物品。
【請求項４５】
アロエ・ベラは約０．０１ｍｍの厚さの層を形成する請求項４２に記載の物品。
【請求項４６】
グローブはグローブの内側壁を含み、アロエ・ベラは前記グローブの内側壁の厚みの約１／１６の厚みの層を形成する請求項４２に記載の物品。
【請求項４７】
手を保護する物品であって、
吸水性の材料の層が無いグローブと
アロエ・ベラの所定量は脱水を通してグローブに付着し、前記物品の着用中、アロエ・ベラが直接手に接触する、グローブの表面上のアロエ・ベラの量を含む物品。
【請求項４８】
脱水（dehydration）はグローブとグローブ上のアロエ・ベラのゲルの加熱を含む請求項４７に記載の物品。
【請求項４９】
アロエ・ベラの量は１００％の脱水されたアロエ・ベラからなる請求項４７に記載の物品。
【請求項５０】
グローブは使い捨て検査グローブである請求項４７に記載の物品。
【請求項５１】
（ａ）柔軟な材料で使い捨てグローブを作り、
（ｂ）前記グローブの内側面をアロエ・ベラと液体キャリア（a liquid carrier）で被覆し、そして、
（ｃ）当該被覆層から液体キャリアを蒸発させて前記グローブの内側面に付着ししたアロエ・ベラの脱水被覆層を形成し、前記グローブを着用する人間の手にアロエ・ベラを接触させる、
ことを含む使い捨て検査グローブの製造方法。
【請求項５２】
前記使い捨てグローブは天然のゴムラテックスで作られた請求項５１の方法。
【請求項５３】
前記アロエ・ベラの被覆層はオイルベースの物質を実質的に含まないクレーム５２の方法。
【請求項５４】
前記脱水した被覆層は実質的に１００％のアロエ・ベラであるクレーム５１の方法。
【請求項５５】
前記グローブは、被覆前は柔軟な材料の単一層で作られたクレーム５１の方法。
【請求項５６】
前記液体キャリアは水であるクレーム５１の方法。
【請求項５７】
前記被覆層は前記グローブを前記アロエ・ベラと液体キャリアに浸すことにより形成されるクレーム５１の方法。
【請求項５８】
前記被覆層は前記グローブに前記液体キャリア中のアロエ・ベラ溶液が噴霧されることにより形成されるクレーム５１の方法。
【請求項５９】
前記グローブの前記内側面に、塩素で処理した後に、アロエ・ベラと液体キャリアを被覆するクレーム５１の方法。
【請求項６０】
前記内側面にアロエ・ベラと液体キャリアを被覆する前に、前記グローブを裏返しにするクレーム５１の方法。
【請求項６１】
液体キャリアを被覆層から蒸発させ、前記内側面に付着したアロエ・ベラを脱水して被覆を形成させた直後に前記グローブを表に戻すクレーム６０の方法。
【請求項６２】
（ａ）柔軟な材料で単一層の使い捨てグローブを作り、
（ｂ）アロエ・ベラ水溶液を前記グローブの内側面に塗布し、そして、
（ｃ）前記グローブの内側面に付着したアロエ・ベラを脱水して被覆を形成し、アロエ・ベラが前記グローブを着用する人間の手に接触すること、
を含む使い捨て検査グローブの製造方法。
【請求項６３】
（ａ）天然のゴムラテックスで使い捨てグローブを作り、
（ｂ）前記グローブを裏返し、
（ｃ）前記グローブを裏返している間は外側の表面であるが、常態では前記グローブの内側の表面である前記グローブの表面にアロエ・ベラ水溶液を塗布し、
（ｄ）前記グローブを裏返している間に、液体キャリアを取り除いて、前記グローブの表面に付着したアロエ・ベラを脱水して被覆層を形成し、そして、
（ｅ）グローブを表に返して、アロエ・ベラを脱水した被覆層が前記グローブを着用する人間の手に接触すること、
を含む使い捨て検査グローブの製造方法。
【請求項６４】
前記内側面に付着したアロエ・ベラを脱水した被覆層でグローブの内側面を被覆することを含む、グローブを着用する人間の皮膚に使い捨て検査グローブが及ぼす不利な効果を減少する方法。
【請求項６５】
形成過程後に被覆過程が続く請求項５１の方法。